(57)【特許請求の範囲】
【請求項１】
矩形状のベース板と、
前記ベース板に対して対向して設けられる対向板と、
前記ベース板の側縁と前記対向板の側縁とに連結され、折り畳まれる折畳状態で前記ベース板及び前記対向板を接近させると共に、前記対向板を前記ベース板から離間させると折畳状態から展開状態となり、この展開状態で前記ベース板と前記対向板とで四方を囲む一対の側壁板と、
前記側壁板の折畳状態で前記ベース板及び前記対向板と重なる収納状態で自立可能に配置されると共に、前記ベース板又は前記対向板に回転自在に軸支され、前記対向板を前記ベース板から離間させて前記側壁板を折畳状態から展開状態にすると、収納状態から回動して開放状態へ移行して一対の前記側壁板と前記ベース板と前記対向板とで四方を囲まれる底部を構成する底板と、
前記側壁板を折畳状態から展開状態に移行させると、収納状態の前記底板を開放状態に向けて回動させると共に、前記底板を開放状態から収納状態に移行させると、展開状態の前記側壁板を折畳状態に向けて移動させるアシスト手段と、を有し、
前記アシスト手段は、前記側壁板に設けられ、前記側壁板を折畳状態から展開状態に移行させると、収納状態の前記底板を開放状態に向けて押圧すると共に、前記底板を開放状態から収納状態に移行させると、前記底板に押圧されて展開状態の前記側壁板を折畳状態に向けて移動させるフック部である折り畳み式収納箱。
【請求項２】
前記ベース板と前記対向板とが接近した接近状態を保持して、前記側壁板の折畳状態を維持する保持手段が設けられる請求項１に記載の折り畳み式収納箱。
【請求項３】
前記保持手段は、前記ベース板及び前記対向板の少なくとも一方に設けられた磁性部材と、前記ベース板及び前記対向板の少なくとも一方に設けられると共に、前記磁性部材を磁力により引き付ける磁石と、で構成される請求項２に記載の折り畳み式収納箱。
【発明の詳細な説明】
【技術分野】
【０００１】
本発明は、折り畳むことで保管場所をとることがない折り畳み式収納箱に関する。
【背景技術】
【０００２】
特許文献１に記載の収納装置（収納箱）は、収納装置（収納箱）を構成する一対の側壁部及び底壁部を折り畳んで格納状態とすることで、車両の荷室の側面にコンパクトに格納されるようになっている。
【先行技術文献】
【特許文献】
【０００３】
【特許文献１】特開２００８−８７６２５号公報
【発明の概要】
【発明が解決しようとする課題】
【０００４】
しかしながら、従来の構成によると、折畳状態（格納状態）から展開状態（使用状態）に、また展開状態（使用状態）から折畳状態（格納状態）に操作を行う場合に、引き出す操作（展開させる操作）と共に折り曲げラインによる折りぐせを伸ばしたり、押し込む操作（折り畳む操作）と共に折りぐせ通りに折り曲げたりする必要がある。このため両手での操作が必要となっていた。
【０００５】
本発明は、上記事実を考慮し、折り畳まれた折り畳み式収納箱を容易に使用状態に移行させることである。
【課題を解決するための手段】
【０００６】
本発明の請求項１に係る折り畳み式収納箱は、矩形状のベース板と、前記ベース板に対して対向して設けられる対向板と、前記ベース板の側縁と前記対向板の側縁とに連結され、折り畳まれる折畳状態で前記ベース板及び前記対向板を接近させると共に、前記対向板を前記ベース板から離間させると折畳状態から展開状態となり、この展開状態で前記ベース板と前記対向板とで四方を囲む一対の側壁板と、前記側壁板の折畳状態で前記ベース板及び前記対向板と重なる収納状態で自立可能に配置されると共に、前記ベース板又は前記対向板に回転自在に軸支され、前記対向板を前記ベース板から離間させて前記側壁板を折畳状態から展開状態にすると、収納状態から回動して開放状態へ移行して一対の前記側壁板と前記ベース板と前記対向板とで四方を囲まれる底部を構成する底板と、前記側壁板を折畳状態から展開状態に移行させると、収納状態の前記底板を開放状態に向けて回動させると共に、前記底板を開放状態から収納状態に移行させると、展開状態の前記側壁板を折畳状態に向けて移動させるアシスト手段と、を有し、前記アシスト手段は、前記側壁板に設けられ、前記側壁板を折畳状態から展開状態に移行させると、収納状態の前記底板を開放状態に向けて押圧すると共に、前記底板を開放状態から収納状態に移行させると、前記底板に押圧されて展開状態の前記側壁板を折畳状態に向けて移動させるフック部である。
【０００７】
上記構成によれば、折り畳み式収納箱を使用するときには、対向板をベース板から離間させてベース板の側縁と対向板の側縁とに連結される一対の側壁板を折畳状態から展開状態とすると、一対の側壁板とベース板と対向板とで四方を囲む。
【０００８】
また、対向板をベース板から離間させて側壁板を折畳状態から展開状態にすると、アシスト手段が、収納状態の底板を開放状態に向けて回動させる。これにより、収納状態の底板は、回動して開放状態へ移行して一対の側壁板とベース板と対向板とで四方を囲まれる底部を構成する。
【０００９】
一方、折り畳み式収納箱１０を折り畳む際には、開放状態の底板を収納状態に移行させる。底板を収納状態に移行させると、アシスト手段が、展開状態の側壁板を折畳状態に向けて移動させる。さらに、ベース板及び対向板を接近させることで、側壁板が折畳状態に移動して、折り畳み式収納箱は折り畳まれる。
【００１０】
このように、側壁板を折畳状態から展開状態に移行させると、アシスト手段は、収納状態の底板を開放状態に向けて回動させる。これにより、折り畳まれた折り畳み式収納箱を容易に使用状態に移行させることができる。
【００１１】
また、底板を開放状態から収納状態に移行させると、アシスト手段は、展開状態の側壁板を折畳状態に向けて移動させる。これにより、折り畳み式収納箱を容易に折り畳むことができる。
【００１３】
また、上記構成によれば、側壁板を折畳状態から展開状態に移行させると、側壁板に設けられたフック部が、収納状態の底板を開放状態に向けて押圧する。これに対して、底板を開放状態から収納状態に移行させると、底板が側壁板に設けられたフック部を押圧して展開状態の側壁板を折畳状態に向けて移動させる。
【００１４】
このように、側壁板にフック部を設けることで、折り畳まれた折り畳み式収納箱を容易に使用状態に移行させこと、さらに、折り畳まれた折り畳み式収納箱を容易に折り畳むことができる。
【００１５】
本発明の請求項２に係る折り畳み式収納箱は、請求項１に記載において、前記ベース板と前記対向板とが接近した接近状態を保持して、前記側壁板の折畳状態を維持する保持手段が設けられる。
【００１６】
上記構成によれば、保持手段が、ベース板と対向板とが接近した接近状態を保持して、側壁板の折畳状態を維持する。これにより、不用意に、折り畳み式収納箱が開放されるのを抑制することができる。
【００１７】
本発明の請求項３に係る折り畳み式収納箱は、請求項２に記載において、保持手段は、前記ベース板及び前記対向板の少なくとも一方に設けられた磁性部材と、前記ベース板及び前記対向板の少なくとも一方に設けられると共に、前記磁性部材を磁力により引き付ける磁石と、で構成される。
【００１８】
上記構成によれば、ベース板及び対向板の少なくとも一方に設けられた磁石が、ベース板及び対向板の少なくとも一方に設けられた磁性部材を磁力により引き付けることで、ベース板と対向板とが接近した接近状態を保持することができる。
【発明の効果】
【００１９】
本発明によれば、折り畳まれた折り畳み式収納箱を容易に使用状態に移行させることができる。
【図面の簡単な説明】
【００２０】
【図１】本発明の実施形態に係る折り畳み式収納箱を示した斜視図である。
【図２】本発明の実施形態に係る折り畳み式収納箱を示した斜視図である。
【図３】本発明の実施形態に係る折り畳み式収納箱を示した斜視図である。
【図４】本発明の実施形態に係る折り畳み式収納箱を示した斜視図である。
【図５】本発明の実施形態に係る折り畳み式収納箱を示した底面図である。
【図６】本発明の実施形態に係る折り畳み式収納箱を示した底面図である。
【図７】本発明の実施形態に係る折り畳み式収納箱を示した拡大斜視図である。
【図８】本発明の実施形態に係る折り畳み式収納箱を示した拡大斜視図である。
【図９】本発明の実施形態に係る折り畳み式収納箱を示した拡大斜視図である。
【図１０】本発明の実施形態に係る折り畳み式収納箱を示した拡大斜視図である。
【発明を実施するための形態】
【００２１】
本発明の実施形態に係る折り畳み式収納箱の一例について図１〜図１０に従って説明する。なお、図中に示すＵＰは、鉛直方向上方を示す。
【００２２】
（全体構成）
図１に示されるように、本実施形態に係る折り畳み式収納箱１０は、矩形状のベース板１２を備えている。このベース板１２は樹脂材料で成形され、４つの縁部には、ベース板１２の剛性を確保するフランジ１２Ａが立設するように一体的に成形されている。
【００２３】
さらに、ベース板１２と対向するようにベース板１２と外形同形状の対向板１４が設けられている。この対向板１４は樹脂材料で成形され、４つの縁部には、対向板１４の剛性を確保するフランジ１４Ａがベース板１２へ向けて立設するように一体的に成形されている。また、対向板１４には、ユーザが把持可能な把持部１６が設けられている。
【００２４】
さらに、ベース板１２の側縁であるフランジ１２Ａと対向板１４の側縁であるフランジ１４Ａに連結される樹脂材料で成形された一対の側壁板２０が設けられている。側壁板２０は、折り畳まれる折畳状態でベース板１２及び対向板１４を接近させる（図２参照）と共に、対向板１４の把持部１６を把持して対向板１４をベース板１２から離間させると折畳状態から展開状態となり、この展開状態でベース板１２と対向板１４とで四方を囲むようになっている。
【００２５】
詳細には、側壁板２０は、分割線が垂直方向（対向板１４がベース板１２から離間する方向に対して直交する方向）に延びるように、ベース板１２側の第１側壁板２０Ａと対向板１４側の第２側壁板２０Ｂとに分割されており、第１側壁板２０Ａと第２側壁板２０Ｂは、垂直方向を軸方向とする軸支部２２で回転可能に支持されている。
【００２６】
また、第１側壁板２０Ａとベース板１２のフランジ１２Ａは、垂直方向を軸方向とする軸支部２４で回転可能に支持され、第２側壁板２０Ｂと対向板１４のフランジ１４Ａは、垂直方向を軸方向とする軸支部２６で回転可能に支持されている。
【００２７】
さらに、ベース板１２と対向板１４とが接近した接近状態を保持して、側壁板２０の折畳状態を維持する保持手段としてのマグネットラッチ３０を構成する磁石３０Ａが、対向板１４における把持部１６の上方に設けられており、接近状態でこの磁石３０Ａに磁力により引き付けられる磁性部材３０Ｂが、ベース板１２に設けられている。
【００２８】
さらに、図１、図２に示されるように、側壁板２０の折畳状態でベース板１２及び対向板１４と重なる収納状態に配置される矩形状の底板３６が設けられている。底板３６は、ベース板１２の下縁（図２に示す下側）に設けられたフランジ１２Ａに下縁のフランジ１２Ａの長手方向を軸方向とする軸支部３８で回転可能に支持されている。また、底板３６の縁部には、一辺を凹状としてユーザが手を入れるのを許容する凹部４８が設けられている。
【００２９】
また、図１に示されるように、底板３６の中央部には、載置面に先端部が当接して開放状態の底板３６を支持する円筒状の円筒支持部４６が一体的に設けられている。また、底板３６の側面には、側壁板２０に向けて突設される円柱状のガイドピン４２が設けられ、側壁板２０には、収納状態と開放状態を移行する底板３６のガイドピン４２をガイドする円弧状のガイド溝４４が形成されている。
【００３０】
この構成により、底板３６を収納状態から開放状態に向けて移行させると、側壁板２０のガイド溝４４がガイドピン４２をガイドするようになっている。そして、ガイド溝４４がガイドピン４２をガイドする際には、ガイド溝４４の底面がガイドピン４２に押圧され、側壁板２０は、折畳状態から展開状態へ移行するようになっている。
【００３１】
一方、図１、図６に示されるように、一対の側壁板２０とベース板１２と対向板１４とで四方を囲まれる底部の対角線の長さが等しくなるように対向板１４をベース板１２から離間させる離間手段としてのＸアーム８４が、ベース板１２の下縁に設けられたフランジ１２Ａと対向板１４の下縁に設けられたフランジ１４Ａに跨るように設けられている。
【００３２】
詳細には、Ｘアーム８４は、一対のアーム部材８６を備えており、一対のアーム部材８６は互いに回転可能となるように、略中央部で軸支部８２にて支持されている。
【００３３】
さらに、一対のアーム部材８６の一端８６Ａは、フランジ１２Ａ及びフランジ１４Ａに設けられ、垂直方向を軸方向とする軸支部８８に回転可能に支持されている。また、一対のアーム部材８６の他端８６Ｂは、フランジ１２Ａ及びフランジ１４Ａに設けられ、フランジ１２Ａ及びフランジ１４Ａの長手方向に延びる長孔９０内に移動可能に支持されている。
【００３４】
この構成により、対向板１４をベース板１２から離間させると、Ｘアーム８４を構成する一対のアーム部材８６が軸支部８２を中心に互いに回転し、アーム部材８６の他端８６Ｂが長孔９０内を移動する。アーム部材８６の中心部が軸支部８２にて支持されているため、アーム部材８６の他端８６Ｂの長孔９０内での移動量が同一となり、一対の側壁板２０とベース板１２と対向板１４とで四方を囲まれる底部の対角線の長さが等しくなる。
【００３５】
（要部構成）
次ぎに、側壁板２０を折畳状態から展開状態に移行させると収納状態の底板３６を開放状態に向けて押圧すると共に、底板３６を開放状態から収納状態に移行させると、底板３６に押圧されて展開状態の側壁板２０を折畳状態に向けて移動させるフック部４０について説明する。
【００３６】
図１に示されるように、一対の第１側壁板２０Ａのベース板１２側の上端部には、第１側壁板２０Ａの内側（折り畳み式収納箱１０の収納部側）の面から板面に対して垂直方向に突出するフック部４０が設けられている。そして、フック部４０の先端側には、屈曲した引掛部４０Ａ（図７参照）が備えられている。
【００３７】
図７に示されるように、側壁板２０が折畳状態に配置される場合には、フック部４０は、底板３６の端面と対向するようにフランジ１２Ａの内側の面に沿って配置されている。さらに、図８、図９に示されるように、対向板１４をベース板１２から離間させて側壁板２０を折畳状態から展開状態に移行させると、フック部４０は、軸支部２４を中心に回動し、フック部４０の引掛部４０Ａが、収納状態の底板３６を開放状態に向けて押圧するようになっている。そして、図１０に示されるように、引掛部４０Ａによって開放状態に向けて押圧された底板３６は、重力により軸支部３８（図１参照）を中心に回動し、開放状態に移行するようになっている。
【００３８】
一方、図１、図１０に示されるように、側壁板２０が展開状態に配置される場合には、フック部４０は、収納部側に突出するように配置されている。そして、図９に示されるように、開放状態にある底板３６を収納状態に移行させるために底板３６を、軸支部３８（図１参照）を中心に回動させると、底板３６の側端部が引掛部４０Ａと当接する。図８に示されるように、引掛部４０Ａと当接した底板３６をさらに収納状態に向けて回動させると、引掛部４０Ａが底板３６に押圧されてフック部４０が軸支部２４を中心に回動する。フック部４０が軸支部２４を中心に回動すると、展開状態の側壁板２０が折畳状態に向けて移動するようになっている。
【００３９】
（作用・効果）
図２に示されるように、折り畳み式収納箱１０が折り畳まれた状態では、対向板１４に固定された磁石３０Ａがベース板１２に固定された磁性部材３０Ｂを磁力により引き寄せ、ベース板１２と対向板１４とが重なり合って接近状態が保持されている。そして、このベース板１２と対向板１４の間には、折畳状態の側壁板２０と収納状態の底板３６が配置され、折り畳み式収納箱１０は保管場所をとることがないようになっている。
【００４０】
この状態から、ユーザが対向板１４の把持部１６を把持し、対向板１４をベース板１２から離間させると、図３に示されるように、マグネットラッチ３０が開放され、Ｘアーム８４のアーム部材８６の他端８６Ｂが長孔９０内を移動する。さらに、側壁板２０は、折畳状態から展開状態へ向って動き出す。
【００４１】
図４、図５、図７、図８に示されるように、側壁板２０が折畳状態から展開状態へ向って動き出すと、フック部４０は、軸支部２４を中心に回動し、フック部４０の引掛部４０Ａが、収納状態の底板３６を開放状態に向けて押圧する。そして、図１、図６、図９、図１０に示されるように、引掛部４０Ａによって開放状態に向けて押圧された底板３６は、重力により軸支部３８（図１参照）を中心に回動し、開放状態に移行する。
【００４２】
また、底板３６を収納状態から開放状態に向けて移行させることで、側壁板２０のガイド溝４４が底板３６のガイドピン４２をガイドする。そして、ガイド溝４４がガイドピン４２をガイドすることで、ガイド溝４４の底面がガイドピン４２に押圧され、側壁板２０は、折畳状態から展開状態へ移行する。
【００４３】
これにより、折り畳み式収納箱１０が収納箱として使用可能となる。
【００４４】
一方、使用可能となっている折り畳み式収納箱１０を折り畳む際には、図１に示されるように、開放状態の底板３６の凹部４８に手を入れて底板３６を持ち上げ、底板３６を開放状態から収納状態に移行させる。
【００４５】
図９に示されるように、開放状態にある底板３６を収納状態に移行させるために底板３６を、軸支部３８（図１参照）を中心に回動させると、底板３６の側端部が引掛部４０Ａと当接する。
【００４６】
また、図８に示されるように、引掛部４０Ａと当接した底板３６をさらに収納状態に向けて回動させると、引掛部４０Ａが底板３６に押圧されてフック部４０が軸支部２４を中心に回動する。そして、フック部４０が軸支部２４を中心に回動すると、展開状態の側壁板２０が折畳状態に向けて移動する。
【００４７】
さらに、対向板１４をベース板１２に接近させると、側壁板２０が折畳状態となると共に、ベース板１２に固定された磁性部材３０Ｂが、対向板１４に固定された磁石３０Ａに磁力により引き付けられ、ベース板１２と対向板１４とが接近した接近状態が保持され、折り畳み式収納箱１０は折り畳まれる。
【００４８】
以上説明したように、側壁板２０を折畳状態から展開状態に移行させると、側壁板２０に設けられたフック部４０の引掛部４０Ａが、収納状態の底板３６を開放状態に向けて押圧する。これにより、折り畳まれた折り畳み式収納箱１０を容易に使用状態に移行させることができる。
【００４９】
また、底板３６を開放状態から収納状態に移行させると、底板３６が側壁板２０に設けられたフック部４０の引掛部４０Ａを押圧して展開状態の側壁板２０を折畳状態に向けて移動させる。これにより、折り畳み式収納箱１０を容易に折り畳むことができる。
【００５０】
また、対向板１４に設けられた磁石３０Ａが、ベース板１２に設けられた磁性部材３０Ｂを磁力により引き付けることで、ベース板１２と対向板１４とが接近した接近状態を保持することができる。
【００５１】
また、ベース板１２と対向板１４とが接近した接近状態を保持することで、側壁板２０の折畳状態が維持される。これにより、不用意に、折り畳み式収納箱１０が開放されるのを抑制することができる。
【００５２】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、対向板１４に磁石３０Ａを設け、ベース板１２に磁性部材３０Ｂを設けたが、対向板１４に磁性部材を設け、ベース板１２に磁石を設けてもよい。
【符号の説明】
【００５３】
１０        折り畳み式収納箱
１２        ベース板
１４        対向板
２０        側壁板
３０        マグネットラッチ（保持手段）
３０Ｂ      磁性部材
３０Ａ      磁石
３６        底板
４０        フック部（アシスト手段）
【図１】
0005431898.tif 000002
【図２】
0005431898.tif 000003
【図３】
0005431898.tif 000004
【図４】
0005431898.tif 000005
【図５】
0005431898.tif 000006
【図６】
0005431898.tif 000007
【図７】
0005431898.tif 000008
【図８】
0005431898.tif 000009
【図９】
0005431898.tif 000010
【図１０】
0005431898.tif 000011